(57)【要約】      （修正有）【課題】発光管の封止部内の封止用ガラス部材の側面に配置された複数の金属箔と、前記ガラス部材の発光部側端面および／または外方端面に配置された集電ディスクとを有し、該集電ディスクは、前記電極が固定された内部リードおよび／または前記封止部から外方に延出している外部リードと、前記金属箔とを電気的に接続してなる放電ランプにおいて、前記集電ディスクとリードとをロウ材を用いることなく強固に接合できる構造を提供する。【解決手段】リード６は、外周面に凹部１５が形成され、集電ディスク１２に形成された貫通孔１２ａに挿入されており、前記集電ディスク１２を塑性変形させて、当該集電ディスクの一部を前記リードの凹部に挿入させて、当該集電ディスクを前記リードにカシメ固定１６して、形成する。【選択図】図１
0003171517.tif 000002
【実用新案登録請求の範囲】
【請求項１】
内部に一対の電極が配置された発光部とその両端の封止部とからなる発光管と、前記封止部の内部に配置された封止用ガラス部材と、該ガラス部材の側面に沿って長手方向に伸びるように配置された複数の金属箔と、前記ガラス部材の発光部側端面および／または外方端面に配置された集電ディスクとからなり、該集電ディスクは、前記電極が固定された内部リードおよび／または前記封止部から外方に延出している外部リードと、前記金属箔とを電気的に接続してなる放電ランプにおいて、
前記リードは、外周面に凹部が形成され、前記集電ディスクに形成された貫通孔に挿入されており、
前記集電ディスクを塑性変形させて、当該集電ディスクの一部を前記リードの凹部に挿入させて、当該集電ディスクを前記リードにカシメ固定したことを特徴とする放電ランプ。
【請求項２】
前記集電ディスクは、前記封止用ガラス部材の発光部側端面に配置された内部集電ディスクであり、該内部集電ディスクは前記金属箔と前記内部リードを電気的に接続してなることを特徴とする請求項１に記載の放電ランプ。
【請求項３】
前記集電ディスクは、前記封止用ガラス部材の外方端面に配置された外部集電ディスクであり、該外部集電ディスクは前記金属箔と前記外部リードを電気的に接続してなることを特徴とする請求項１に記載の放電ランプ。
【請求項４】
前記凹部は、前記リードの外周面に間隔をあけて形成されていることを特徴とする請求項１に記載の放電ランプ。
【請求項５】
前記凹部は、前記リードの外周面に連続して形成されていることを特徴とする請求項１に記載の放電ランプ。
【考案の詳細な説明】
【技術分野】
【０００１】
この考案は放電ランプに関し、特に、封止部内で金属箔と内外部リードとを集電ディスクを介して電気的に接続してなる放電ランプに係わるものである。
【背景技術】
【０００２】
従来から、半導体基板や液晶ディスプレイ用の液晶基板を露光するのに使用する露光装置の紫外線光源として、放電ランプが使用されている。
この種の放電ランプでは、特開２００７−１１５４９８号公報（引用文献１）に示されるような、封止部内で金属箔と内外部リードとを集電ディスクを介して電気的に接続する構造のものが多用されている。
【０００３】
図２は、従来の放電ランプの全体断面図であり、図３はその部分拡大図である。
図２に示すように、この放電ランプにおいて、石英ガラスにより形成される発光管１は、発光空間Ｓを囲繞する球形状の発光部２と、この発光部２の両端から外方に伸びるよう連設された筒状の封止部３とにより構成されている。
該発光管１の発光部２内には、陽極４および陰極５が互いに対向するよう配置されており、その各々は、封止部３から発光部２に管軸に沿って伸びる、例えばタングステンよりなる円柱状の内部リード６、６の先端に固定されて支持されている。そして、前記発光管１の発光部２内には、キセノン、アルゴン、クリプトン等の希ガス若しくはこれらの混合物よりなる封入ガスおよび水銀などの発光物質が封入されている。
【０００４】
前記発光管１の封止部３内においては、発光部２に接近した位置に、石英ガラスよりなる内部リード保持用筒体７が配設され、前記内部リード６はこの内部リード保持用筒体７を貫通・支持されている。
上記内部リード保持用筒体７の後方には石英ガラスよりなる封止用ガラス部材８が配置されている。
そして、この封止用ガラス部材８の前端面には、前記内部リード保持用筒体７との間に挟まれるように、内部集電ディスク１２が設けられている。
【０００５】
そして、電極４、５を保持した内部リード６は、前記内部リード保持用筒体７を貫通し、前記内部集電ディスク１２に接続されている。
図３に詳細が示されるように、この内部集電ディスク１２の中心には、内部リード６の外径に適合する内径の貫通孔１２ａが形成されており、前記内部リード６は該貫通孔１２ａに挿入された状態で接続されている。
一方、前記封止用ガラス部材８には、その後端面から軸方向に沿って伸びる有底孔８ａが形成されており、この有底孔８ａには外部リード９が挿入され、該外部リード９は封止部３の後方に延出している。
前記封止用ガラス部材８の後端面には外部集電ディスク１３が配置され、前記外部リード９は、この外部集電ディスク１３を貫通して接続されている。
【０００６】
前記封止用ガラス部材８の外周面には、モリブデンよりなる複数の帯状の金属箔１１が、当該封止用ガラス部材８の周方向に互いに離間して長手方向に伸びるように配置されており、該金属箔１１の各々の内端部は、前記内部集電ディスク１２に接続されて内部リード６と電気的に接続されており、一方、前記金属箔１１の各々の外端部は、前記外部集電ディスク１３に接続されて外部リード９と電気的に接続されている。
これにより、前記内部リード６と外部リード９とは、内部集電ディスク１２、金属箔１１および外部集電ディスク１３を介して電気的に接続される。
そして、封止用ガラス部材８の外周面は、金属箔１１を介して封止部３の内面に気密に溶着されている。
なお、前記封止用ガラス部材８の外端側には、外部リード保持用筒体１０が配置され、前記外部リード９がこの外部リード保持用筒体１０に挿通・支持されていて、該外部リード保持用筒体１０の外周面は、封止部３の内面に気密に溶着されている。
【０００７】
上記構成において、図３に示すように、内部リード６と内部集電ディスク１２とはロウ付けによって接続されている。
すなわち、内部集電ディスク１２の貫通孔１２ａに内部リード６が挿入され、これらはロウ材１４によってロウ付けされている。
また、ここには図示しない、外部リード９と外部集電ディスク１３も、同様の構造でロウ付けにより接合されている。
【０００８】
このように、内部リード６と内部集電ディスク１２、外部リード９と外部集電ディスク１３をロウ付けにより接合する場合、以下のような問題がある。
ロウ材としては、濡れ性が良好で、かつ、耐熱性を有する材料として、プラチナ（Ｐｔ）が好適に使用されている。
ところで、発光部に封入された水銀は、内部集電ディスクの表面にまで到達する。このとき、ロウ材の材料であるプラチナが水銀と反応してアマルガムを形成してしまい、この反応により体積膨張して、封止部が破裂するという問題があった。
さらには、内部集電ディスクと外部集電ディスクは、加工性と耐熱性の観点からモリブデンが使用されることが多いが、ロウ材であるプラチナの融点は、内部集電ディスクや外部集電ディスクのモリブデンの再結晶温度（〜１２００℃）を上回るものである。そのため、ロウ付け工程においてプラチナを溶かす際に、内部集電ディスクと外部集電ディスクの温度が再結晶温度以上に上がり、その構成材料であるモリブデンの再結晶化が生じてしまい、これらが脆化し、割れやすくなる。その結果、内部リードや外部リードを介して内部集電ディスクや外部集電ディスクに荷重などの負荷が過剰に加わった場合には、これら内部集電ディスクや外部集電ディスクが脆性破壊する可能性がある。
更には、ロウ材構成材料がプラチナであり、製造コストがかかるという問題もあった。
【先行技術文献】
【特許文献】
【０００９】
【特許文献１】特開２００７−１１５４９８号公報
【考案の概要】
【考案が解決しようとする課題】
【００１０】
この考案が解決しようとする課題は、発光管の封止部内で、電極に繋がる内部リードに内部集電ディスクが接続され、および／または外部リードに外部集電ディスクが接続され、これら両集電ディスクが金属箔によって接続されてなる放電ランプにおいて、リードと集電ディスクとの接続構造としてロウ材を用いることなく、強固に接合された放電ランプを提供することである。
【課題を解決するための手段】
【００１１】
上記課題を解決するために、この考案に係る高圧放電ランプでは、電極が固定された内部リードおよび／または前記封止部から外方に延出している外部リードの外周面に凹部が形成され、該リードが、封止部内の封止用ガラス部材の発光部側端面および／または外方端面に配置された集電ディスクに形成された貫通孔に挿入されており、前記集電ディスクを塑性変形させて、当該集電ディスクの一部を前記リードの凹部に挿入させて、当該集電ディスクを前記リードにカシメ固定することを特徴とする。
また、前記集電ディスクは、前記封止用ガラス部材の発光部側端面に配置された内部集電ディスクであり、該内部集電ディスクは前記金属箔と前記内部リードを電気的に接続してなることを特徴とする。
また、前記集電ディスクは、前記封止用ガラス部材の外方端面に配置された外部集電ディスクであり、該外部集電ディスクは前記金属箔と前記外部リードを電気的に接続してなることを特徴とする。
また、前記凹部は、前記リードの外周面に間隔をあけて形成されていることを特徴とする。
また、前記凹部は、前記リードの外周面に連続して形成されていることを特徴とする。
【考案の効果】
【００１２】
この考案によれば、リードと集電ディスクとの接合構造として、集電ディスクの一部を塑性変形してリードの外周面に形成した凹部に挿入してカシメ固定したので、接合のためのロウ材を用いることなく強固に接合でき、ロウ材を用いることによる封止部の破損や、集電ディスクの脆性破壊、更にはコスト高といった数々の弊害を除去できる。
【図面の簡単な説明】
【００１３】
【図１】本考案の実施例の断面図。
【図２】従来技術の断面図。
【図３】図２におけるリードと集電ディスクの接合構造を示す部分図。
【考案を実施するための形態】
【００１４】
図１は、リードと集電ディスクとの接合構造を示す要部断面図であって、この場合は、内部リード６と内部集電ディスク１２の接合が示されている。
図１（Ａ）に示すように、内部リード６の端部近傍には、その外周面に凹部１５が形成されている。該凹部１５は円周方向で間隔をあけて形成された独立の凹部であっても、また、円周方向に連続した溝状の凹部であってもよい。
また、この実施例では、内部リード６の軸方向の２個所の外周面、即ち、内部集電ディスク１２の両面に近い位置の外周面に凹部１５が形成されている。
図１（Ｂ）示すように、この内部リード６は内部集電ディスク１２の貫通孔１２ａ内に挿入される。このとき、前記内部リード６に形成した凹部１５は、この貫通孔１２ａ内に位置するようになっている。
【００１５】
次いで、図１（Ｃ）および、そのＸ部の拡大図である（Ｅ）に示すように、内部集電ディスク１２の貫通孔１２ａの近傍、即ち、内部リード６の挿入部分の周辺をパンチ治具１７によりパンチ押圧する。
これにより、図１（Ｄ）および、そのＸ部の拡大図である（Ｆ）に示すように、内部集電ディスク１２の材料の一部１６が塑性変形して前記内部リード６の凹部１５内に挿入される。
こうして、内部リード６と内部集電ディスク１２はカシメ固定される。
なお、この実施例では、内部リード６の凹部１５は内部集電ディスク１２の両面近傍に位置して軸方向の２個所に形成されているが、固定が十分であれば、そのうちのどちらかの１個所であってもよい。
また、凹部１５を円周方向に間隔をあけて形成する場合も、その個数は特に限定されない。そして、この独立凹部とする場合には、集電ディスク１２の回転防止効果もある。
また、凹部１５を連続溝形状とする場合は、カシメ固定効果が更に確実になり、集電ディスクの離脱がより確実に防止されるという効果もある。
【００１６】
なお、図１においては、内部リード６と内部集電ディスク１２の接合構造を示したが、外部リード９と外部集電ディスク１３との接合構造も同様なものを採用できる。
また、内部リード６および外部リード９と、内部集電ディスク１２および外部集電ディスク１３との接合構造としては、図２に示すように、リードの端部に集電ディスクが取り付けられる形態であってもよいし、または、リードが集電ディクスを貫通してその後端が集電ディスク後方に突出する形態であってもよい。
勿論、内部リード６が内部集電ディスク１２を貫通して後方に突出する場合には、前記図２における後方リード９の場合と同様に、封止用ガラス部材８に有底孔を形成して突出部分を挿入するものである。
【００１７】
以上説明したように、本考案によれば、リードと集電ディスクとをカシメ固定することにより、ロウ材を用いた固定構造のもつ各種の不具合を解消して、より簡便に確実な固定ができるものである。
【符号の説明】
【００１８】
１      発光管
２      発光部
３      封止部
４      陽極
５      陰極
６      内部リード
７      内部リード保持用筒体
８      封止用ガラス部材
９      外部リード
１０    外部リード保持用筒体
１１    金属箔
１２    内部集電ディスク
１２ａ  貫通孔
１５    凹部
１６    内部リード材料の変形一部分
【図１】
0003171517.tif 000003
【図２】
0003171517.tif 000004
【図３】
0003171517.tif 000005